(57)【特許請求の範囲】
【請求項１】
複数の携帯型端末装置と無線通信を行う無線通信手段と、
接続確立用のイベントを検出するイベント検出手段と、
当該イベント検出手段によってイベントが検出された場合に、当該イベントの内容に基づき、所定の記憶領域に記憶されたログデータを更新する更新手段と、
前記無線通信手段によって取得される前記複数の携帯型端末装置に記憶されたイベントの内容と、前記ログデータに記憶されたイベントの内容とが適合するかどうかを判定する判定手段と、
を含み、
前記無線通信手段は、前記判定手段によってイベントの内容が適合すると判定された携帯型端末装置と接続を確立することを特徴とする携帯型端末装置。
【請求項２】
請求項１において、
前記接続確立用のイベントは、他の携帯型端末装置との物理的接触であって、
前記イベント検出手段は、他の携帯型端末装置との物理的接触を検出するセンサーを含むことを特徴とする携帯型端末装置。
【請求項３】
請求項１、２のいずれかにおいて、
前記更新手段は、前記イベントの内容と、当該イベントが発生した時刻を関連付けて前記ログデータに記憶し、
前記判定手段は、前記複数の携帯型端末装置に記憶されたイベントの内容と、前記ログデータに記憶されたイベントの内容との適合性と、前記複数の携帯型端末装置に記憶されたイベントの発生時刻と、前記ログデータに記憶されたイベントの発生時刻との適合性を判定し、
前記無線通信手段は、前記判定手段によってイベントの内容が適合し、かつ、イベントの発生時刻が適合していると判定された携帯型端末装置と接続を確立することを特徴とする携帯型端末装置。
【請求項４】
複数の携帯型端末装置と無線通信可能な無線通信手段を有する携帯型端末装置と着脱自在であって、かつ、当該携帯型端末装置を制御する携帯型通信制御装置であって、
接続確立用のイベントを検出するイベント検出手段と、
当該イベント検出手段によってイベントが検出された場合に、当該イベントの内容に基づき、所定の記憶領域に記憶されたログデータを更新する更新手段と、
前記無線通信手段によって取得される前記複数の携帯型端末装置に記憶されたイベントの内容と、前記ログデータに記憶されたイベントの内容とが適合するかどうかを判定する判定手段と、
当該判定手段によってイベントの内容が適合すると判定された携帯型端末装置と接続を確立するように、前記無線通信手段を制御する制御手段と、
を含むことを特徴とする携帯型通信制御装置。
【請求項５】
複数の携帯型端末装置と無線通信を行う無線通信手段を有する携帯型端末装置のコンピュータにより読み取り可能なプログラムであって、
コンピュータを、
接続確立用のイベントを検出するイベント検出手段と、
当該イベント検出手段によってイベントが検出された場合に、当該イベントの内容に基づき、所定の記憶領域に記憶されたログデータを更新する更新手段と、前記無線通信手段によって取得される前記複数の携帯型端末装置に記憶されたイベントの内容と、前記ログデータに記憶されたイベントの内容とが適合するかどうかを判定する判定手段と、
当該判定手段によってイベントの内容が適合すると判定された携帯型端末装置と接続を確立するように、前記無線通信手段を制御する制御手段として機能させることを特徴とするプログラム。
【請求項６】
請求項５において、
前記接続確立用のイベントは、他の携帯型端末装置との物理的接触であって、
前記イベント検出手段は、他の携帯型端末装置との物理的接触を検出する手段を含むことを特徴とするプログラム。
【請求項７】
請求項５、６のいずれかにおいて、
前記更新手段は、前記イベントの内容と、当該イベントが発生した時刻を関連付けて前記ログデータに記憶し、
前記判定手段は、前記複数の携帯型端末装置に記憶されたイベントの内容と、前記ログデータに記憶されたイベントの内容との適合性と、前記複数の携帯型端末装置に記憶されたイベントの発生時刻と、前記ログデータに記憶されたイベントの発生時刻との適合性を判定し、
前記制御手段は、前記判定手段によってイベントの内容が適合し、かつ、イベントの発生時刻が適合していると判定された携帯型端末装置と接続を確立するように、前記無線通信手段を制御することを特徴とするプログラム。
【請求項８】
コンピュータにより読み取り可能な情報記憶媒体であって、請求項５〜７のいずれかのプログラムを記憶したことを特徴とする情報記憶媒体。
【発明の詳細な説明】
【０００１】
【発明の属する技術分野】
本発明は、無線通信可能な不特定多数の携帯型端末装置から所定の携帯型端末装置と接続を確立するための携帯型端末装置、携帯型通信制御装置、プログラムおよび情報記憶媒体に関する。
【０００２】
【背景技術および発明が解決しようとする課題】
有線接続のような接続の物理的制約からの開放を目的として、接続可能状態（例えば、半径１０ｍ以内）にある複数の携帯電話と通信を行うといったブルートゥース等の無線通信技術が実現化されている。
【０００３】
ところが、このような無線通信技術は、不特定多数の携帯電話と接続するための技術であるが、一般的な接続状態では、不特定多数の携帯電話の中から特定の携帯電話を選択して通信を行う必要がある。
【０００４】
特に、携帯電話等の携帯型端末装置を用いる場合、当該携帯型端末装置を有する使用者が移動してしまい、接続可能状態にある複数の携帯型端末装置の構成が動的に変化してしまう。
【０００５】
このような課題を解決する手法としては、例えば、接続を確立するべき携帯型端末装置のアドレス、ＩＤ、名称等の識別情報を入力する手法や、一覧から接続を確立するべき携帯型端末装置のアドレス等を選択する手法が考えられる。
【０００６】
しかし、このような手法では、入力や選択の手間がかかる上、接続可能状態にある複数の携帯型端末装置の構成が動的に変化してしまう状況では適切に接続を確立するべき携帯型端末装置と接続を確立することが困難となる。特に、直接アドレス等を入力する場合、あらかじめ接続を確立するべき携帯型端末装置のアドレス等を知っておく必要がある。
【０００７】
このような課題に鑑み、特開２００１−１５６７２３号公報では、指向性を利用した通信を行う手法が提案されている。
【０００８】
しかし、このような手法では、物理的制約からの開放は実現できるが、新たに指向性という制約が加わることになり、無線通信という自由度の高い通信を制約してしまうことになる。
【０００９】
本発明は、上記の課題に鑑みなされたものであり、その目的は、無線通信の自由度を保ちつつ、無線通信可能な不特定多数の携帯型端末装置から所定の携帯型端末装置と簡易に接続を確立するための携帯型端末装置、携帯型通信制御装置、プログラムおよび情報記憶媒体を提供することにある。
【００１０】
【課題を解決するための手段】
上記課題を解決するため、本発明に係る携帯型端末装置は、複数の携帯型端末装置と無線通信を行う無線通信手段と、
接続確立用のイベントを検出するイベント検出手段と、
当該イベント検出手段によってイベントが検出された場合に、当該イベントの内容に基づき、所定の記憶領域に記憶されたログデータを更新する更新手段と、前記無線通信手段によって取得される前記複数の携帯型端末装置に記憶されたイベントの内容と、前記ログデータに記憶されたイベントの内容とが適合するかどうかを判定する判定手段と、
を含み、
前記無線通信手段は、前記判定手段によってイベントの内容が適合すると判定された携帯型端末装置と接続を確立することを特徴とする。
【００１１】
また、本発明に係る携帯型通信制御装置は、複数の携帯型端末装置と無線通信可能な無線通信手段を有する携帯型端末装置と着脱自在であって、かつ、当該携帯型端末装置を制御する携帯型通信制御装置であって、
接続確立用のイベントを検出するイベント検出手段と、
当該イベント検出手段によってイベントが検出された場合に、当該イベントの内容に基づき、所定の記憶領域に記憶されたログデータを更新する更新手段と、前記無線通信手段によって取得される前記複数の携帯型端末装置に記憶されたイベントの内容と、前記ログデータに記憶されたイベントの内容とが適合するかどうかを判定する判定手段と、
当該判定手段によってイベントの内容が適合すると判定された携帯型端末装置と接続を確立するように、前記無線通信手段を制御する制御手段と、
を含むことを特徴とする。
【００１２】
また、本発明に係るプログラムは、複数の携帯型端末装置と無線通信を行う無線通信手段を有する携帯型端末装置のコンピュータにより読み取り可能なプログラムであって、
コンピュータを、
接続確立用のイベントを検出するイベント検出手段と、
当該イベント検出手段によってイベントが検出された場合に、当該イベントの内容に基づき、所定の記憶領域に記憶されたログデータを更新する更新手段と、前記無線通信手段によって取得される前記複数の携帯型端末装置に記憶されたイベントの内容と、前記ログデータに記憶されたイベントの内容とが適合するかどうかを判定する判定手段と、
当該判定手段によってイベントの内容が適合すると判定された携帯型端末装置と接続を確立するように、前記無線通信手段を制御する制御手段として機能させることを特徴とする。
【００１３】
また、本発明に係る情報記憶媒体は、コンピュータにより読み取り可能な情報記憶媒体であって、コンピュータを、上記手段として機能させるためのプログラムを記憶したことを特徴とする。
【００１４】
本発明によれば、接続確立用のイベントを検出し、無線通信可能な複数の携帯型端末装置の中からイベントの内容が適合する携帯型端末装置と接続を確立することにより、指向性等の制約を受けることなく、不特定多数の携帯型端末装置から特定の携帯型端末装置と簡易に接続を確立することができる。
【００１５】
なお、前記イベントの内容としては、例えば、接続を確立するべき携帯型端末装置と物理的に接触した（ぶつかった）ことを示すもの、スイッチが押されたことを示すもの、接続を確立するべき携帯型端末装置と物理的に接触した際の音を示すもの、接続を確立するべき携帯型端末装置同士のユーザーの音声情報等が該当する。
【００１６】
また、ここで、接続の確立とは、無線通信可能な状態で、特定の携帯型端末装置とアプリケーションソフトウェア等を用いてデータのやり取りを行える状態となったことを意味する。
【００１７】
また、前記携帯型端末装置において、前記接続確立用のイベントは、他の携帯型端末装置との物理的接触であって、
前記イベント検出手段は、他の携帯型端末装置との物理的接触を検出するセンサーを含んでもよい。
【００１８】
また、前記携帯型通信制御装置、前記プログラムおよび前記情報記憶媒体において、前記接続確立用のイベントは、他の携帯型端末装置との物理的接触であって、
前記イベント検出手段は、他の携帯型端末装置との物理的接触を検出する手段を含んでもよい。
【００１９】
これによれば、例えば、携帯型端末装置同士をぶつけることでお互いに接続を確立することができる。これにより、より簡易かつ確実に接続を確立することができる。
【００２０】
また、前記携帯型端末装置において、前記更新手段は、前記イベントの内容と、当該イベントが発生した時刻を関連付けて前記ログデータに記憶し、
前記判定手段は、前記複数の携帯型端末装置に記憶されたイベントの内容と、前記ログデータに記憶されたイベントの内容との適合性と、前記複数の携帯型端末装置に記憶されたイベントの発生時刻と、前記ログデータに記憶されたイベントの発生時刻との適合性を判定し、
前記無線通信手段は、前記判定手段によってイベントの内容が適合し、かつ、イベントの発生時刻が適合していると判定された携帯型端末装置と接続を確立してもよい。
【００２１】
また、前記携帯型通信制御装置、前記プログラムおよび前記情報記憶媒体において、前記更新手段は、前記イベントの内容と、当該イベントが発生した時刻を関連付けて前記ログデータに記憶し、
前記判定手段は、前記複数の携帯型端末装置に記憶されたイベントの内容と、前記ログデータに記憶されたイベントの内容との適合性と、前記複数の携帯型端末装置に記憶されたイベントの発生時刻と、前記ログデータに記憶されたイベントの発生時刻との適合性を判定し、
前記制御手段は、前記判定手段によってイベントの内容が適合し、かつ、イベントの発生時刻が適合していると判定された携帯型端末装置と接続を確立するように、前記無線通信手段を制御してもよい。
【００２２】
これによれば、イベントの内容の適合性に加えてイベント発生時刻の適合性も考慮して判定を行うことにより、誤判定を低減し、より確実に適切な携帯型端末装置と接続を確立することができる。
【００２３】
【発明の実施の形態】
以下、本発明を、携帯型端末装置に適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２４】
（システム全体の説明）
図１は、本実施形態の一例に係る衝撃検出による接続確立の模式図である。
【００２５】
例えば、ブルートゥース等の無線通信技術によって半径１０ｍ以内にある複数の携帯電話２００−１〜２００−４が通信可能な状態になっているものと想定する。
【００２６】
例えば、ブルートゥースを用いた携帯電話２００の場合、スタンバイ状態、問い合わせ状態、呼び出し状態、アクティブ状態と遷移することによって携帯電話２００はお互いに無線通信可能な状態となる。そして、無線通信可能な状態で携帯電話２００に記憶されたアプリケーションソフトによるデータ通信を行う。本実施の形態では、このアプリケーションソフトによるデータ通信を行う段階を「接続の確立」という用語で表す。
【００２７】
一般的なブルートゥースをそのまま用いた場合、アクティブ状態後の接続確立の段階で無条件にアクティブ状態にある全ての携帯電話２００−１〜２００−４が接続確立の可能な状態となってしまい、携帯電話２００は、接続を確立するべき携帯電話２００を特定できない。
【００２８】
本実施の形態では、図１に示すように、携帯電話２００−１と携帯電話２００−２をぶつけることにより、複数の携帯電話２００−１〜２００−４のうちの特定の携帯電話２００−１、２００−２だけで情報のやり取りを行えるように携帯電話２００を構成している。
【００２９】
（機能ブロックの説明）
次に、このような機能を実現するための携帯電話２００の機能ブロックについて説明する。
【００３０】
図２は、本実施形態の一例に係る携帯電話２００の機能ブロックを示す図である。
【００３１】
携帯電話２００は、他の携帯電話２００と情報をやり取りする無線通信手段として機能する送受信部２９０と、情報の生成や判定等を行う処理部２１０と、記憶部２２０と、操作部２３０と、画像表示部２６０と、音声出力部２６２と、接続確立用のイベントを検出するイベント検出部２４０と、タイマー部２５０とを含んで構成されている。
【００３２】
イベント検出部２４０は、接続確立用のイベントである衝撃を検出する。
【００３３】
また、処理部２１０は、他の携帯電話２００に送信する情報等を生成する情報生成部２１２と、イベントの内容と、当該イベントが発生した時刻を関連付けて記憶部２２０内のログデータ２２２に記憶する更新部２１６と、アクティブ状態にある複数の携帯電話２００に記憶されたイベントの内容および当該イベントの発生時刻と、ログデータ２２２に記憶されたイベントの内容と当該イベントの発生時刻との適合性を判定する判定部２１４とを含んで構成されている。
【００３４】
ここで、ログデータ２２２のデータ構造について説明する。
【００３５】
図３は、本実施形態の一例に係るログデータ２２２のデータ構造を示す図である。
【００３６】
ログデータ２２２の項目としては、例えば、「イベント発生時刻」、「イベント内容」等が該当する。
【００３７】
例えば、「イベント発生時刻」が「１０：１０：１０」で、「イベント内容」が「衝撃検出」の場合、１０時１０分１０秒に他の携帯電話２００の可能性を含む何かとぶつかったことを示す。
【００３８】
例えば、図１に示す例では、携帯電話２００−１のログデータ２２２に「イベント発生時刻」が「１０：１０：１０」で、「イベント内容」が「衝撃検出」のデータがあり、携帯電話２００−２のログデータ２２２にも「イベント発生時刻」が「１０：１０：１０」で、「イベント内容」が「衝撃検出」のデータがあることになる。
【００３９】
なお、時刻の適合性については、完全一致でなくても例えば１０秒の幅を持たせてもよい。具体的には、判定部２１４を、判定基準時刻が１０時１０分１０秒であれば、１０時１０分０秒から１０時１０分２０秒までであれば適合していると判定するように構成してもよい。
【００４０】
また、更新部２１６を、「衝撃検出」という単一のイベントだけでなく、複数種のイベントをログデータ２２２に記憶するように構成してもよい。
【００４１】
さらに、携帯電話２００には情報記憶媒体２８０が接続され、携帯電話２００は、情報記憶媒体２８０からプログラムを読み取って判定部２１４等の機能を実現することも可能に形成されている。
【００４２】
また、情報記録媒体２８０に記憶されるプログラムは、搬送波に具現化される（ｅｍｂｏｄｉｅｄ）ものであってもよい。すなわち、携帯電話２００は、情報記憶媒体２８０からではなく、例えば、ネットワークを介して所定のホスト端末等からプログラムを読み取って上述した種々の機能を実現することも可能である。
【００４３】
なお、情報記憶媒体２８０としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体２８０からの情報読み取り方式は、接触式でも非接触式でもよい。
【００４４】
ここで、携帯電話２００の各部のハードウェア構成について説明する。
【００４５】
処理部２１０としては例えばＣＰＵ等、記憶部２２０としては例えばＲＡＭ等、送受信部２９０としては例えばパケット通信モジュール、ブルートゥースモジュール等、操作部２３０としては例えばキー等を用いて実現できる。
【００４６】
また、イベント検出部２４０としては例えば衝撃センサー等、タイマー部２５０としては例えばシステムタイマー等、画像表示部２６０としては例えば液晶パネル等、音声出力部２６２としては例えばスピーカー等を用いて実現できる。
【００４７】
（処理の流れの説明）
次に、上述した各部を用いて接続の確立を行う場合の処理の流れについて説明する。
【００４８】
図４は、本実施形態の一例に係る接続確立までの処理の流れを示すフローチャートである。
【００４９】
例えば、図１に示す状態では、携帯電話２００−１〜２００−４は、通信可能状態（アクティブ状態）で待機している（ステップＳ２）。
【００５０】
通信可能状態は、接続確立用のイベントが検出されるまで（ステップＳ４）継続される。
【００５１】
そして、ユーザーによって携帯電話２００−１と携帯電話２００−２とがぶつけられた場合、イベント検出部２４０は、衝撃センサーによって衝撃を検出する。
【００５２】
また、更新部２１６は、イベント検出部２４０によって検出されたイベントの内容と、タイマー部２５０によって把握された当該イベントを検出した時刻を示すイベント情報をログデータ２２２の一部として追加する（ステップＳ６）。
【００５３】
そして、判定部２１４は、当該イベントを接続確立用のイベントとして判定し、送受信部２９０に他の携帯電話２００のログデータ２２２の取得要求を行う。
【００５４】
そして、判定部２１４は、送受信部２９０によって取得されたログデータ２２２を検索し（ステップＳ８）、記憶部２２０に記憶されたログデータ２２２内の接続確立用のイベント内容およびイベント発生時刻と適合するものがあるかどうかを判定する（ステップＳ１０）。
【００５５】
なお、時刻を比較する際には、携帯電話２００同士で時刻情報（例えば、標準時を示す情報、カウンタ値やクロックカウントを示す情報等）を交換してタイマー部２５０で示される時刻を揃えてもよいし、タイマー部２５０に電波時計機能を内蔵させてもよい。
【００５６】
判定部２１４は、この判定（ステップＳ１０）をログデータ２２２の全てを検索するまで実行する。なお、適合するデータが見つかった時点で検索を終了してもよい。
【００５７】
そして、判定部２１４は、接続確立用のイベント内容およびイベント発生時刻と適合するものがあると判定した場合、送受信部２９０によって取得されたログデータ２２２を有している携帯電話２００を接続を確立するべき携帯電話２００として認識する（ステップＳ１２）。
【００５８】
なお、ログデータ２２２の検索（ステップＳ８）から接続を確立するべき携帯電話２００として認識（ステップＳ１２）までの処理は、全ての携帯電話２００のログデータ２２２の検索が終了するまで（ステップＳ１４）行われる。
【００５９】
そして、全ての携帯電話２００のログデータ２２２の検索が終了した場合（ステップＳ１４）、送受信部２９０は、ステップＳ１２で認識した接続を確立するべき携帯電話２００と接続を確立する（ステップＳ１６）。
【００６０】
以上の手順により、不特定多数の携帯電話２００の中から特定の携帯電話２００を選択して接続を確立することが可能となる。
【００６１】
以上のように、本実施の形態によれば、接続確立用のイベントを検出し、無線通信可能な複数の携帯電話２００の中からイベントの内容と時刻が適合する携帯電話２００と接続を確立することにより、指向性等の制約を受けることなく、不特定多数の携帯電話２００から特定の携帯電話２００と簡易に接続を確立することができる。
【００６２】
また、接続確立用のイベントとして、衝撃の検出を採用することにより、携帯電話２００同士をぶつけることでお互いに接続を確立することができる。これにより、より簡易かつ確実に接続を確立することができる。
【００６３】
（変形例）
以上、本発明を適用した好適な実施の形態について説明してきたが、本発明の適用は上述した実施例に限定されず、種々の変形が可能である。
【００６４】
例えば、上述した実施例では、イベントの内容とイベント発生時刻の両方を用いて接続を確立するべき携帯電話２００の判定を行ったが、イベントの内容が適合するかどうかだけで判定を行ってもよい。
【００６５】
また、上述した実施例では接続確立用のイベントとして、１回の衝撃の検出を採用したが、例えば、所定時間内に複数回の衝撃の検出があった場合を接続確立用のイベントとして採用してもよい。
【００６６】
これによれば、例えば、携帯電話２００を壁等にぶつけてしまった場合等に接続確立用のイベントとして誤検出してしまうことを防止でき、より確実に接続確立用のイベントを検出することができる。
【００６７】
また、接続確立用のイベントとしては、衝撃の検出以外にも、例えば、携帯電話２００のスイッチが押されたことを示すもの、接続を確立するべき携帯電話２００と物理的に接触した際の音を示すもの、接続を確立するべき携帯電話２００同士のユーザーの音声情報（音声波形やデジタル音声データ）、接続を確立するべき携帯電話２００を認識するための画像情報（ユーザーの顔画像情報、携帯電話２００に付された識別用の２次元バーコード画像情報）、光の明滅等を採用してもよい。
【００６８】
より具体的には、例えば、接続確立用のイベントとして音声情報を採用した場合、無線通信可能な状態にある５人のうち３人がポーカーをしたいと考えた場合、３人がほぼ同時に「せーの、ポーカー！」と携帯電話２００のマイク入力部に向かって叫んだ場合に、更新部２１６は「せーの、ポーカー！」という音声情報をログデータ２２２の一部として記憶し、判定部２１４は、５人の有する携帯電話２００のログデータ２２２を検索して当該音声情報を有する携帯電話２００同士で接続を確立してもよい。このような手法によっても、無線通信可能な状態にある５人のうち３人だけがポーカーを行うことができる。
【００６９】
さらに、音声情報を用いた場合、発信者が「欲しい人はいますか？」と携帯電話２００のマイク入力部に向かって叫び、他の人のうち「はーい！」と答えた人の携帯電話２００にデータを配信するといったことも可能である。
【００７０】
このように、特定の音声情報同士を対応付け、問い合わせの音声情報と応答の音声情報が適合している場合に接続を確立したり、問い合わせをしてから一定時間内に応答があった場合に接続を確立するといったことも可能である。
【００７１】
また、上述した実施例では、ログデータ２２２を他の全ての携帯電話２００から取得して記憶部２２０に記憶されたログデータ２２２と比較して接続を確立するべき携帯電話２００を判定する手法を採用したが、記憶部２２０に記憶されたログデータ２２２のイベント情報を他の全ての携帯電話２００に配信して一致したかどうかを示す応答情報を取得することによって接続を確立するべき携帯電話２００を判定する手法等を採用してもよい。
【００７２】
さらに、このような判定を行うタイミングは、イベント発生時に限定されず、例えば、一定時間ごとに行ったり、所定の時刻に行うように判定部２１４を構成してもよい。
【００７３】
また、携帯電話２００の機能を複数の装置に分散して実現することも可能である。例えば、無線通信可能な携帯電話と着脱自在であって、判定部２１４やイベント検出部２４０の機能を有する携帯型通信制御装置を用いてもよい。
【００７４】
図５は、本実施形態の他の一例に係る衝撃検出による接続確立の模式図である。
【００７５】
例えば、携帯型通信制御装置３００は、複数の携帯電話２０２と無線通信可能な送受信部を有する携帯電話２０２と着脱自在であって、かつ、当該携帯電話２０２を制御するように構成されている。
【００７６】
また、携帯型通信制御装置３００は、上述したイベント検出部２４０、判定部２１４、更新部２１６と、判定部２１４によってイベントの内容が適合すると判定された携帯電話２０２と接続を確立するように、携帯電話２０２の送受信部２９０を制御する制御部とを含んで構成されている。
【００７７】
例えば、図５に示すように、携帯電話２０２−１に接続された携帯型通信制御装置３００−１と、携帯電話２０２−２に接続された携帯型通信制御装置３００−２とをぶつけることにより、携帯型通信制御装置３００−１、３００−２は衝撃を検出し、携帯電話２０２−２または携帯電話２０２−１と接続を確立するように、携帯電話２０２−１または携帯電話２０２−２の送受信部２９０を制御する。
【００７８】
このような形態によっても、簡易な手法で、不特定多数の携帯電話２０２から特定の携帯電話２０２を選択して接続を確立することが可能となる。
【００７９】
なお、図５に示す携帯型通信制御装置３００に、携帯電話２００の有する送受信部２９０の機能のうちブルートゥース等の近距離無線通信機能を含めて構成することも可能である。
【００８０】
さらに、上述した実施例では、携帯型端末装置として携帯電話２００を用いた例について説明したが、携帯電話２００以外にも、携帯型ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）、携帯型ゲーム装置等の種々の携帯型端末装置を用いることも可能である。
【図面の簡単な説明】
【図１】本実施形態の一例に係る衝撃検出による接続確立の模式図である。
【図２】本実施形態の一例に係る携帯電話の機能ブロックを示す図である。
【図３】本実施形態の一例に係るログデータのデータ構造を示す図である。
【図４】本実施形態の一例に係る接続確立までの処理の流れを示すフローチャートである。
【図５】本実施形態の他の一例に係る衝撃検出による接続確立の模式図である。
【符号の説明】
２００  携帯電話（携帯型端末装置）
２１２  情報生成部
２１４  判定部
２１６  更新部
２２２  ログデータ
２４０  イベント検出部
２５０  タイマー部
２８０  情報記憶媒体
２９０  送受信部（無線通信手段）
３００  携帯型通信制御装置
【図１】
0003564449.tif 000002
【図２】
0003564449.tif 000003
【図３】
0003564449.tif 000004
【図４】
0003564449.tif 000005
【図５】
0003564449.tif 000006